(57)【要約】      （修正有）【課題】缶や瓶を収納庫内に良好に収納することができる棚板を提供する。【解決手段】一面Ｆ１又は他面Ｆ２の何れか一方が上面となるように、収納庫としての温冷蔵庫内に取り付けられる棚板４であって、この棚板４が、平板部３４と、この平板部３４から他面Ｆ２側に突出する少なくとも一対の支持リブ３６を有して構成されることにより、前記棚板４の一面Ｆ１側を上面とすることで、缶等が前記棚板４上に安定して載置されると共に、前記棚板４の他面Ｆ２側を上面とすることで、瓶等の円筒状の側面が一対の前記支持リブ３６に当接した状態で前記棚板４上に安定して載置されるので、一種類の棚板４によって、様々な大きさの缶や瓶等を温冷蔵庫内に安定して収納することができる。【選択図】図８
0003143135.tif 000002
【実用新案登録請求の範囲】
【請求項１】
収納庫内に着脱自在に取り付けられる棚板において、
この棚板が、一面又は他面の何れか一方が上面となるように前記収納庫内に取り付けられると共に、
前記棚板が、平板部と、この平板部から他面側に突出する少なくとも一対の支持リブを有して構成されることを特徴とする棚板。
【請求項２】
前記棚板が前記収納庫に取り付けられた状態で、前記支持リブが、前記収納庫の奥行き方向に延びるよう形成されることを特徴とする請求項１記載の棚板。
【請求項３】
前記支持リブ間に補強リブが形成されると共に、双方の前記支持リブからこれらの中央に向かって、前記補強リブの高さが低くなるように形成されることを特徴とする請求項１乃至２記載の棚板。
【請求項４】
前記補強リブが、中央が最も低くなるように、円弧状に凹んで形成されることを特徴とする請求項３記載の棚板。
【請求項５】
前記平板部の一面側が平面状に形成されると共に、前記平板部の前記支持リブ間における厚さが、それ以外の部分の厚さよりも薄く形成されることを特徴とする請求項１乃至４記載の棚板。
【考案の詳細な説明】
【技術分野】
【０００１】
本考案は、冷蔵庫等の収納庫内に取り付けられて、被収容物を載置するために用いられる棚板に関するものである。
【背景技術】
【０００２】
従来、この種の棚板としては、収納庫の内箱に着脱自在に取り付けられる冷蔵庫の仕切り棚（本考案の棚板に相当する）が知られている（例えば、特許文献１参照。）。そして、この仕切り棚は、冷却空気を通過させるための長孔が複数形成されているものの、全体としては両面とも平面状に形成されている。また、ワインボトル面に沿った曲面部を有するワイン保蔵庫のワイン棚（本考案の棚板に相当する）も知られている。（例えば、特許文献２参照）。
【特許文献１】特開平７−９１８００号公報
【特許文献２】特開２０００−１６１８４５号公報
【考案の開示】
【考案が解決しようとする課題】
【０００３】
しかしながら、前者のような棚板では、両面とも平面状に形成されているため、小さめの缶等を立てた状態で収納するのであれば問題ないが、大きめの缶や瓶等を倒した状態で収納する場合、缶や瓶等が棚板上を転がって不安定になってしまい、最悪の場合、棚板上を転がったガラス瓶が割れてしまう虞があった。一方、後者のような棚板では、逆に、小さめの缶等を立てた状態で収納することができないので、広い収納庫内に少数の缶しか収納できないという問題があった。
【０００４】
本考案は以上の問題点を解決し、缶や瓶を収納庫内に良好に収納することができる棚板を提供することを目的とする。
【課題を解決するための手段】
【０００５】
本考案の請求項１に記載の棚板は、収納庫内に着脱自在に取り付けられる棚板において、この棚板が、一面又は他面の何れか一方が上面となるように前記収納庫内に取り付けられると共に、前記棚板が、平板部と、この平板部から他面側に突出する少なくとも一対の支持リブを有して構成されるものである。
【０００６】
また、本考案の請求項２に記載の棚板は、請求項１において、前記棚板が前記収納庫に取り付けられた状態で、前記支持リブが、前記収納庫の奥行き方向に延びるよう形成されるものである。
【０００７】
また、本考案の請求項３に記載の棚板は、請求項１乃至２において、前記支持リブ間に補強リブが形成されると共に、双方の前記支持リブからこれらの中央に向かって、前記補強リブの高さが低くなるように形成されるものである。
【０００８】
また、本考案の請求項４に記載の棚板は、請求項３において、前記補強リブが、中央が最も低くなるように、円弧状に凹んで形成されるものである。
【０００９】
更に、本考案の請求項５に記載の棚板は、請求項１乃至４において、前記平板部の一面側が平面状に形成されると共に、前記平板部の前記支持リブ間における厚さが、それ以外の部分の厚さよりも薄く形成されるものである。
【考案の効果】
【００１０】
本考案の請求項１に記載の棚板は、以上のように構成することにより、前記棚板の一面側を上面とすることで、小さめの缶等が前記棚板上に安定して載置されると共に、前記棚板の他面側を上面とすることで、円筒状の缶や瓶等の側面が一対の前記支持リブに当接した状態で前記棚板上に安定して載置されるので、一種類の棚板によって、様々な大きさの缶や瓶等を収納庫内に安定して収納することができる。
【００１１】
また、前記棚板を前記収納庫に取り付けた状態で、前記支持リブが、前記収納庫の奥行き方向に延びるよう形成したことで、前記収納庫内に缶や瓶等を寝かせた状態で挿入して容易に収納することができる。
【００１２】
また、前記支持リブ間に補強リブを形成し、この補強リブの高さを、双方の前記支持リブからこれらの中央に向かって低くなるように形成したことで、前記補強リブによって棚板の強度を保ちつつ、円筒状の缶や瓶等の側面を一対の前記支持リブに当接させた状態で、缶や瓶等を前記棚板上に安定して載置することができる。
【００１３】
また、前記補強リブを、中央が最も低くなるように、円弧状に凹んだ形状に形成したことで、側面が一対の前記支持リブに対して同時に接触しない程に小径の缶や瓶等を寝かせた状態で棚板上に載置する場合でも、このような小径の缶や瓶等が前記支持リブの最も低くなる中央付近で安定するので、小径の缶や瓶等でも棚板上に安定して載置することができる。
【００１４】
更に、前記平板部の一面側を平面状に形成すると共に、前記平板部の前記支持リブ間における厚さを、それ以外の部分の厚さよりも薄く形成したことで、前記支持リブの間隔を小さくしたり、前記支持リブの高さを高くしたりすることなく、缶や瓶等の側面を一対の前記支持リブに対して同時に接触させることができるので、棚板を厚くすることなく安定して缶や瓶等を棚板上に載置することができるばかりでなく、前記支持リブ間以外の平板部の厚さが厚いので、必要な強度を保つことができる。
【考案を実施するための最良の形態】
【００１５】
以下、本考案の第一の実施形態について、図１乃至図１２に基づいて説明する。１は収納庫としての温冷蔵庫である。この温冷蔵庫１は、温冷蔵庫本体２と、扉体３とを有して構成されている。そして、前記温冷蔵庫１には、棚板４が着脱自在に取り付けられる。
【００１６】
前記温冷蔵庫本体２は、外殻体５と、内容器６と、側部パネル７と、把持部８とを有して構成されていると共に、前記外殻体５と内容器６との間には、図示しない断熱材が充填されている。そして、前記外殻体５は、前記扉体３と対向する前外殻体１０を有している。この前外殻体１０には開口部１１が形成されており、この開口部１１に前記内容器６が取り付けられている。また、前記前外殻体１０の右上部、右下部、左上部、左下部の４ヶ所に、夫々軸腕部１２が設けられていると共に、これらの軸腕部１２には、夫々回動軸１３が設けられている。なお、右上部の回動軸１３Ａと右下部の回動軸１３Ｂは、夫々同軸となるように設けられている。また、図示しない左上部の回動軸と左下部の回動軸も、夫々同軸となるように設けられている。また、前記前外殻体１０の開口部１１には、溝部１４が形成されていると共に、この溝部１４と対応して、前記内容器６にも溝部（図示せず）が形成されている。そして、前記溝部１４及び前記内容器６の図示しない溝部に、前記棚板４が取り付けられる。更に、前記前外殻体１０の前面で且つ後述するパッキン２８によって囲まれる領域の外側には、操作部１５が設けられている。この操作部１５には、押圧部１６及び発光部１７が設けられている。なお、前記発光部１７には、発光ダイオードが用いられる。そして、前記操作部１５は、前記扉体３を閉じた際に、この扉体３によって覆われる。また、前記外殻体５の下方には、水受体２０が設けられていると共に、前記把持部８とほぼ同じ形状の脚部２１が設けられている。また、前記側部パネル７の外面には、側脚部２３が設けられている。更に、前記外殻体５の背面には、後脚部２４が設けられていると共に、電源コード２５が引き出されている。
【００１７】
前記扉体３は、前外殻体２６と、後外殻体２７と、これらの間に設けられた図示しない断熱材と、弾性体によって形成されたパッキン２８と、左右一対の操作レバー２９とを有して構成されている。前記後外殻体２７には、図示しない凹部を有するリブ３０が形成されていると共に、前記操作レバー２９の上下両端には、図示しない爪部を有するフック３１が設けられており、前記リブ３０の凹部と前記フック３１の爪部とで、前記回動軸１３が回動自在に係合されている。そして、一方の前記操作レバー２９を操作して前記リブ３０の凹部及び前記フック３１の爪部と前記回動軸１３との係合を解くことで、前記扉体３は、他方の操作レバー２９側の回動軸１３を中心に回動するように構成されている。（なお、このような構造は実公平６−１１３４５号公報等で公知である。）そして、前記扉体３の前外殻体２６と後外殻体２７との間には、透明な材質によって構成された導光体３２が設けられている。この導光体３２は、前記発光部１７と同数設けられていると共に、その後端部３２Ａが前記発光部１７と対向して、前記発光部１７が発した光を前記扉体３の正面側に露出した前端部３２Ｂまで導くように構成されている。なお、前記扉体３の後外殻体２７の後端面２７Ａと前記操作部１５との間には、前記パッキン２８によって間隙が形成されている。
【００１８】
前記棚板４は、多数の通気孔３３が形成された平板部３４と、この平板部３４の周囲に形成された周辺リブ３５と、前記平板部３４の中央部に一対形成された支持リブ３６と、前記平板部３４を補強するように、前記周辺リブ３５及び支持リブ３６と交差して形成された補強リブ３７と、指掛け部３８とを有して構成されている。なお、前記指掛け部３８は、前記平板部３４の一面Ｆ１側に突出して形成されていると共に、前記周辺リブ３５、支持リブ３６及び補強リブ３７は、前記平板部３４の他面Ｆ２側に突出して形成されている。そして、前記平板部３４の一面Ｆ１側は、前記指掛け部３８を除いて、ほぼ平面状に形成されている。また、前記支持リブ３６は、前記周辺リブ３５と同じ高さに形成されていると共に、前記棚板４の奥行き方向に且つ平行に設けられている。また、前記平板部３４における前記支持リブ３６間部分、即ち中央部３４Ａにおける厚さｔ１が、両側部３４Ｂの厚さｔ２よりも薄く形成されていることで、他面Ｆ２側から見て、前記平板部３４の中央部３４Ａは、両側部３４Ｂよりも凹んでいる。従って、前記支持リブ３６の高さを高くすることなく、前記支持リブ３６の上端から前記平板部３４の中央部３４Ａまでの深さを深くできる一方、前記平板部３４の両側部３４Ｂを厚くできるので、前記棚板４の強度を低下させないようにすることができる。更に、前記支持リブ３６間にも補強リブ３７Ａが形成されている。この補強リブ３７Ａは、双方の前記支持リブ３６間の中央が最低部３７Ｂとなるように、円弧状に凹んで形成される。そして、前記支持リブ３６の上端から前記補強リブ３７Ａの最低部３７Ｂまでの深さは、前記支持リブ３６の上端から前記平板部３４の両側部３４Ｂまでの深さよりも深く構成されている。このため、薄く形成された前記平板部３４の中央部３４Ａの強度を低下させないようにすることができる。なお、前記棚板４は、一面Ｆ１側と他面Ｆ２側の何れの面を上面にしても前記温冷蔵庫１に取り付けることができる。
【００１９】
次に、本実施形態の作用について説明する。まず、大径の瓶Ｂｔを温冷蔵庫１内に収納する場合、使用者は、前記棚板４の他面Ｆ２側が上面となるようにして、前記溝部１４及び前記内容器６の図示しない溝部に前記棚板４を差し込むことで、この棚板４を前記温冷蔵庫１に取り付ける。そして、前記開口部１１から瓶Ｂｔを寝かせた状態で挿入し、この瓶Ｂｔを一対の前記支持リブ３６上に載置すると、図９に示すように、瓶Ｂｔの円筒状の側面が一対の前記支持リブ３６と当接することで、瓶Ｂｔは前記棚板４上に安定して載置される。
【００２０】
中径の瓶Ｂｍを温冷蔵庫１内に収納する場合、前記開口部１１から瓶Ｂｍを寝かせた状態で挿入し、この瓶Ｂｍを一対の前記支持リブ３６上に載置すると、図１０に示すように、瓶Ｂｍの円筒状の側面が一対の前記支持リブ３６と前記補強リブ３７Ａの最低部３７Ｂとに当接することで、瓶Ｂｍは前記棚板４上に安定して載置される。なお、前述したように、他面Ｆ２側から見て、前記平板部３４の中央部３４Ａが両側部３４Ｂよりも凹んでいることで、前記支持リブ３６の上端から前記補強リブ３７Ａの最低部３７Ｂまでの深さを深くできるので、中径の瓶Ｂｍであっても、前記棚板４上に安定して載置される。
【００２１】
小径の瓶Ｂｓを温冷蔵庫１内に収納する場合、前記開口部１１から瓶Ｂｓを寝かせた状態で挿入し、この瓶Ｂｓを前記補強リブ３７Ａ上に載置すると、図１１に示すように、瓶Ｂｓの円筒状の側面が前記補強リブ３７Ａの最低部３７Ｂに当接する。この際、瓶Ｂｓは、前記支持リブ３６に当接しないので、瓶Ｂｔや瓶Ｂｍを載置する場合に比べて不安定となるが、重力によって、前記補強リブ３７Ａの最低部３７Ｂに留まろうとするので、前記棚板４上にある程度安定して載置される。
【００２２】
缶Ｃを温冷蔵庫１内に収納する場合、使用者は、前記棚板４の一面Ｆ１側が上面となるようにして、前記溝部１４及び前記内容器６の図示しない溝部に前記棚板４を差し込むことで、この棚板４を前記温冷蔵庫１に取り付ける。そして、前記開口部１１から缶Ｃを立てた状態で挿入し、この缶Ｃを平板部３４上に載置すると、図１２に示すように、瓶Ｃは前記棚板４上に安定して載置される。
【００２３】
以上のように、本考案は、一面Ｆ１又は他面Ｆ２の何れか一方が上面となるように、収納庫としての温冷蔵庫１内に取り付けられる棚板４であって、この棚板４が、平板部３４と、この平板部３４から他面Ｆ２側に突出する少なくとも一対の支持リブ３６を有して構成されることにより、前記棚板４の一面Ｆ１側を上面とすることで、缶Ｃ等が前記棚板４上に安定して載置されると共に、前記棚板４の他面Ｆ２側を上面とすることで、瓶Ｂｔ，Ｂｍ等の円筒状の側面が一対の前記支持リブ３６に当接した状態で前記棚板４上に安定して載置されるので、一種類の棚板４によって、様々な大きさの缶Ｃや瓶Ｂｔ，Ｂｍ等を温冷蔵庫１内に安定して収納することができる。
【００２４】
また、本考案は、前記棚板４を前記温冷蔵庫１に取り付けた状態で、前記支持リブ３６が、前記温冷蔵庫１の奥行き方向に延びるよう形成したことで、前記支持リブ３６に沿って前記温冷蔵庫１内に缶Ｃや瓶Ｂｔ，Ｂｍ，Ｂｓ等を寝かせた状態で挿入して容易に収納することができる。
【００２５】
また、本考案は、前記支持リブ３６間に補強リブ３７Ａを形成し、この補強リブ３７Ａの高さを、双方の前記支持リブ３６からこれらの中央に向かって低くなるように形成したことで、前記補強リブ３７Ａによって棚板４の強度を保ちつつ、円筒状の瓶Ｂｔ，Ｂｍ等の側面を一対の前記支持リブ３６に当接させた状態で、瓶Ｂｔ，Ｂｍ等を前記棚板４上に安定して載置することができる。
【００２６】
また、本考案は、前記補強リブ３７Ａの中央を最低部３７Ｂとするように、円弧状に凹んだ形状に形成したことで、側面が一対の前記支持リブ３６に対して同時に接触しない程に小径の瓶Ｂｓ等を寝かせた状態で棚板４上に載置する場合でも、このような瓶Ｂｓ等が重力によって前記支持リブ３７Ａの最低部３７Ｂで安定するので、小径の瓶Ｂｓ等でも棚板４上に安定して載置することができる。
【００２７】
更に、本考案は、前記平板部３４の一面Ｆ１側を平面状に形成すると共に、前記平板部３４の前記支持リブ３６間部分、即ち中央部３４Ａにおける厚さｔ１を、それ以外の部分、即ち両側部３４Ｂの厚さｔ２よりも薄く形成したことで、他面Ｆ２側から見て、前記平板部３４の中央部３４Ａを両側部３４Ｂよりも凹ませることができ、前記支持リブ３６の高さを高くすることなく、即ち前記棚板４を厚くすることなく、前記支持リブ３６の上端から前記平板部３４の中央部３４Ａまでの深さを深くでき、瓶Ｂｔ，Ｂｍ等の側面を一対の前記支持リブ３６に対して同時に接触させることができるので、安定して瓶Ｂｔ，Ｂｍ等を棚板４上に載置することができるばかりでなく、前記平板部３４の両側部３４Ｂを厚くできるので、前記棚板４の強度を低下させないようにすることができる。
【００２８】
次に、本考案の第二の実施形態について、図１３に基づいて説明する。棚板４０は、多数の通気孔４１が形成された平板部４２と、この平板部４２の周囲に形成された周辺リブ４３と、前記平板部４２の中央部に一対形成された支持リブ４４と、前記平板部４２を補強するように、前記周辺リブ４３及び支持リブ４４と交差して形成された補強リブ４５と、指掛け部４６とを有して構成されている。なお、前記指掛け部４６は、前記平板部４２の一面Ｆ１側に突出して形成されていると共に、前記周辺リブ４３、支持リブ４４及び補強リブ４５は、前記平板部４２の他面Ｆ２側に突出して形成されている。そして、前記平板部４２の一面Ｆ１側は、前記指掛け部４６を除いて、ほぼ平面状に形成されている。また、前記支持リブ４４は、前記周辺リブ４３と同じ高さに形成されていると共に、前記棚板４０の奥行き方向に且つ平行に設けられている。また、前記平板部４２における前記支持リブ４４間部分、即ち中央部４２Ａにおける厚さｔ１が、両側部４２Ｂの厚さｔ２よりも薄く形成されていることで、他面Ｆ２側から見て、前記平板部４２の中央部４２Ａは、両側部４２Ｂよりも凹んでいる。従って、前記支持リブ４４の高さを高くすることなく、前記支持リブ４４の上端から前記平板部４２の中央部４２Ａまでの深さを深くできる一方、前記平板部４２の両側部４２Ｂを厚くできるので、前記棚板４０の強度を低下させないようにすることができる。更に、前記支持リブ４４間にも補強リブ４５Ａが形成されている。この補強リブ４５Ａは、双方の前記支持リブ４４間の中央に向かって低くなるように、三角形状に形成される。このため、薄く形成された前記平板部４２の中央部４２Ａの強度を低下させないようにすることができる。なお、前記棚板４０は、一面Ｆ１側と他面Ｆ２側の何れの面を上面にしても前記温冷蔵庫１に取り付けることができる。
【００２９】
なお、本実施形態においては、大径の瓶Ｂｔや缶Ｃを前記温冷蔵庫１内の棚板４０に載置する場合、第一の実施形態と同様に作用する。一方、中径の瓶Ｂｍを前記温冷蔵庫１内の棚板４０に載置する場合、前記瓶Ｂｍの円筒状の側面が一対の前記支持リブ４４と前記平板部４２の中央部４２Ａとに当接することで、瓶Ｂｍは前記棚板４０上に安定して載置される。なお、前述したように、他面Ｆ２側から見て、前記平板部４２の中央部４２Ａが両側部４２Ｂよりも凹んでいることで、前記支持リブ４４の上端から前記平板部４２の中央部４２Ａまでの深さを深くできるので、中径の瓶Ｂｍであっても、前記棚板４０上に安定して載置される。また、小径の瓶Ｂｓを前記温冷蔵庫１内の棚板４０に載置する場合、瓶Ｂｓの円筒状の側面が前記支持リブ４４間で前記平板部４２の中央部４２Ａ上に載置される。この際、瓶Ｂｓは、前記中央部４２Ａ上を転がる可能性があるが、この転がる範囲が、前記中央部４２Ａに制限されるので、瓶Ｂｔや瓶Ｂｍを載置する場合、或いは第一の実施形態に比べて不安定となるものの、前記棚板４０上にある程度安定した状態で載置される。
【００３０】
次に、本考案の第三の実施形態について、図１４に基づいて説明する。なお、本実施形態においては、第二の実施形態と同様に作用するので、その作用の説明を省略する。棚板５０は、多数の通気孔５１が形成された平板部５２と、この平板部５２の周囲に形成された周辺リブ５３と、前記平板部５２の中央部に一対形成された支持リブ５４と、前記平板部５２を補強するように、前記周辺リブ５３及び支持リブ５４と交差して形成された補強リブ５５と、指掛け部５６とを有して構成されている。なお、前記指掛け部５６は、前記平板部５２の一面Ｆ１側に突出して形成されていると共に、前記周辺リブ５３、支持リブ５４及び補強リブ５５は、前記平板部５２の他面Ｆ２側に突出して形成されている。そして、前記平板部５２の一面Ｆ１側は、前記指掛け部５６を除いて、ほぼ平面状に形成されている。また、前記支持リブ５４は、前記周辺リブ５３と同じ高さに形成されていると共に、前記棚板５０の奥行き方向に且つ平行に設けられている。また、前記平板部５２における前記支持リブ５４間部分、即ち中央部５２Ａにおける厚さｔ１が、両側部５２Ｂの厚さｔ２よりも薄く形成されていることで、他面Ｆ２側から見て、前記平板部５２の中央部５２Ａは、両側部５２Ｂよりも凹んでいる。従って、前記支持リブ５４の高さを高くすることなく、前記支持リブ５４の上端から前記平板部５２の中央部５２Ａまでの深さを深くできる一方、前記平板部５２の両側部５２Ｂを厚くできるので、前記棚板５０の強度を低下させないようにすることができる。なお、前記支持リブ５４間には、補強リブが形成されていない。このため、薄く形成された前記平板部５２の中央部５２Ａの強度が相対的に低下することになるものの、材質を選ぶことで強度を低下させないようにすることができる。なお、前記棚板５０は、一面Ｆ１側と他面Ｆ２側の何れの面を上面にしても前記温冷蔵庫１に取り付けることができる。
【００３１】
次に、本考案の第四の実施形態について、図１５及び図１６に基づいて説明する。棚板６０は、多数の通気孔６１が形成された平板部６２と、この平板部６２の周囲に形成された周辺リブ６３と、前記平板部６２の中央部に等間隔で平行に四本形成された支持リブ６４と、前記平板部６２を補強するように、前記周辺リブ６３及び支持リブ６４と交差して形成された補強リブ６５と、指掛け部６６とを有して構成されている。なお、前記指掛け部６６は、前記平板部６２の一面Ｆ１側に突出して形成されていると共に、前記周辺リブ６３、支持リブ６４及び補強リブ６５は、前記平板部６２の他面Ｆ２側に突出して形成されている。そして、前記平板部６２の一面Ｆ１側は、前記指掛け部６６を除いて、ほぼ平面状に形成されている。また、前記支持リブ６４は、前記周辺リブ６３と同じ高さに形成されていると共に、前記棚板６０の奥行き方向に設けられている。また、前記平板部６２における前記支持リブ６４間部分、即ち中央部６２Ａにおける厚さｔ１が、両側部６２Ｂの厚さｔ２よりも薄く形成されていることで、他面Ｆ２側から見て、前記平板部６２の中央部６２Ａは、両側部６２Ｂよりも凹んでいる。従って、前記支持リブ６４の高さを高くすることなく、前記支持リブ６４の上端から前記平板部６２の中央部６２Ａまでの深さを深くできる一方、前記平板部６２の両側部６２Ｂを厚くできるので、前記棚板６０の強度を低下させないようにすることができる。更に、前記支持リブ６４間にも補強リブ６５Ａが形成されている。この補強リブ６５Ａは、隣接する前記支持リブ６４間の中央が最低部６５Ｂとなるように、円弧状に凹んで形成される。そして、前記支持リブ６４の上端から前記補強リブ６５Ａの最低部６５Ｂまでの深さは、前記支持リブ６４の上端から前記平板部６２の両側部６２Ｂまでの深さよりも深く構成されている。このため、薄く形成された前記平板部６２の中央部６２Ａの強度を低下させないようにすることができる。なお、前記棚板６０は、一面Ｆ１側と他面Ｆ２側の何れの面を上面にしても前記温冷蔵庫１に取り付けることができる。
【００３２】
次に、本実施形態の作用について説明する。なお、本実施形態においては、缶Ｃを前記温冷蔵庫１内の棚板６０に載置する場合、上記各実施形態と同様に作用する。大径の瓶Ｂｔを温冷蔵庫１内に収納する場合、使用者は、前記棚板６０の他面Ｆ２側が上面となるようにして、前記溝部１４及び前記内容器６の図示しない溝部に前記棚板４を差し込むことで、この棚板４を前記温冷蔵庫１に取り付ける。そして、前記開口部１１から瓶Ｂｔを寝かせた状態で挿入し、この瓶Ｂｔを中央の一組の前記支持リブ６４上に載置すると、瓶Ｂｔの円筒状の側面が中央の一組の前記支持リブ６４と当接することで、瓶Ｂｔは前記棚板６０上に安定して載置される。
【００３３】
中径の瓶Ｂｍを温冷蔵庫１内に収納する場合、前記開口部１１から瓶Ｂｍを寝かせた状態で挿入し、この瓶Ｂｍを左右二組の前記支持リブ６４上、又は中央の一組の前記支持リブ６４上に載置すると、瓶Ｂｍの円筒状の側面が前記支持リブ６４と前記補強リブ６５Ａの最低部６５Ｂとに当接することで、瓶Ｂｍは前記棚板６０上に安定して載置される。なお、中径の瓶Ｂｍを二本収納する場合、図１６に示すように、これらの瓶Ｂｍを左右二組の前記支持リブ６４上に載置することになる。なお、前述したように、他面Ｆ２側から見て、前記平板部６２の中央部６２Ａが両側部６２Ｂよりも凹んでいることで、前記支持リブ６４の上端から前記補強リブ６５Ａの最低部６５Ｂまでの深さを深くできるので、中径の瓶Ｂｍであっても、前記棚板６０上に安定して載置される。
【００３４】
小径の瓶Ｂｓを温冷蔵庫１内に収納する場合、前記開口部１１から瓶Ｂｓを寝かせた状態で挿入し、この瓶Ｂｓを何れかの前記補強リブ６５Ａ上に載置すると、瓶Ｂｓの円筒状の側面が前記補強リブ６５Ａの最低部６５Ｂに当接する。この際、瓶Ｂｓは、前記支持リブ６４に当接しないので、瓶Ｂｔや瓶Ｂｍを載置する場合に比べて不安定となるが、重力によって、前記補強リブ６５Ａの最低部６５Ｂに留まろうとするので、前記棚板６０上にある程度安定して載置される。
【００３５】
次に、本考案の第五の実施形態について、図１７に基づいて説明する。棚板７０は、多数の通気孔７１が形成された平板部７２と、この平板部７２の周囲に形成された周辺リブ７３と、前記平板部７２の中央部に一対形成された支持リブ７４と、前記平板部７２を補強するように、前記周辺リブ７３及び支持リブ７４と交差して形成された補強リブ７５と、指掛け部７６とを有して構成されている。なお、前記指掛け部７６は、前記平板部７２の一面Ｆ１側に突出して形成されていると共に、前記周辺リブ７３、支持リブ７４及び補強リブ７５は、前記平板部７２の他面Ｆ２側に突出して形成されている。そして、前記平板部７２の一面Ｆ１側は、前記指掛け部７６を除いて、ほぼ平面状に形成されている。また、前記支持リブ７４は、前記周辺リブ７３と同じ高さに形成されていると共に、前記棚板７０の奥行き方向に且つ平行に設けられている。また、前記平板部７２における前記支持リブ７４間部分、即ち中央部７２Ａは、その中央が最低部７２Ｂとなるように、他面Ｆ２側から見て、円弧状に凹んで形成される。従って、前記支持リブ７４の高さを高くすることなく、前記支持リブ７４の上端から前記平板部７２の中央部７２Ａの最低部７２Ｂまでの深さを深くできる一方、円弧状に凹んだ部分以外を厚くできるので、前記棚板７０の強度を低下させないようにすることができる。また、前記支持リブ７４間には、補強リブが形成されていないものの、前記平板部７２の中央以外は比較的厚いので、前記平板部７２の中央部７２Ａの強度を殆ど低下させないようにすることができる。なお、前記棚板７０は、一面Ｆ１側と他面Ｆ２側の何れの面を上面にしても前記温冷蔵庫１に取り付けることができる。
【００３６】
なお、本実施形態においては、大径の瓶Ｂｔや缶Ｃを前記温冷蔵庫１内の棚板７０に載置する場合、第一の実施形態と同様に作用する。一方、中径の瓶Ｂｍを前記温冷蔵庫１内の棚板７０に載置する場合、前記瓶Ｂｍの円筒状の側面が一対の前記支持リブ７４と前記平板部７２の中央部７２Ａの最低部７２Ｂとに当接することで、瓶Ｂｍは前記棚板７０上に安定して載置される。なお、前述したように、他面Ｆ２側から見て、前記平板部７２の中央部７２Ａの中央が円弧状に凹んでいることで、前記支持リブ７４の上端から前記平板部７２の最低部７２Ｂまでの深さを深くできるので、中径の瓶Ｂｍであっても、前記棚板７０上に安定して載置される。また、小径の瓶Ｂｓを前記温冷蔵庫１内の棚板７０に載置する場合、瓶Ｂｓの円筒状の側面が前記支持リブ７４間で前記平板部７２の中央部７２Ａ上に載置される。この際、瓶Ｂｓは、前記支持リブ７４に当接しないので、瓶Ｂｔや瓶Ｂｍを載置する場合に比べて不安定となるが、重力によって、前記中央部７２Ａの最低部７２Ｂに留まろうとするので、前記棚板７０上にある程度安定して載置される。
【００３７】
なお、本考案は以上の実施形態に限定されるものではなく、考案の要旨の範囲内で種々の変形実施が可能である。例えば、上記各実施形態では、支持リブを２本又は４本形成したが、この本数は、前記棚板の幅に基づいて、適宜設定することが可能である。
【図面の簡単な説明】
【００３８】
【図１】本考案の第一の実施形態を示す温冷蔵庫全体の正面図である。
【図２】同、温冷蔵庫全体の右側面図である。
【図３】同、温冷蔵庫全体の平面図である。
【図４】同、扉を開いた状態における温冷蔵庫全体の正面図である。
【図５】同、扉を開いた状態における温冷蔵庫全体の平面図である。
【図６】同、棚板を一面側から見た外観図である。
【図７】同、棚板を他面側から見た外観図である。
【図８】同、棚板のＡ−Ａ断面図である。
【図９】同、大径の瓶を寝かせて載置した状態を示す棚板の断面図である。
【図１０】同、中径の瓶を寝かせて載置した状態を示す棚板の断面図である。
【図１１】同、小径の瓶を寝かせて載置した状態を示す棚板の断面図である。
【図１２】同、缶を立てて載置した状態を示す棚板の断面図である。
【図１３】本考案の第二の実施形態を示す棚板の断面図である。
【図１４】本考案の第三の実施形態を示す棚板の断面図である。
【図１５】本考案の第四の実施形態を示す棚板の断面図である。
【図１６】同、小径の瓶を寝かせて載置した状態を示す棚板の断面図である。
【図１７】本考案の第五の実施形態を示す棚板の断面図である。
【符号の説明】
【００３９】
１  温冷蔵庫（収納庫）
４，４０，５０，６０，７０  棚板
３４，４２，５２，６２，７２  平板部
３４Ａ，４２Ａ，５２Ａ，６２Ａ，７２Ａ  中央部（支持リブ間）
３４Ｂ，４２Ｂ，５２Ｂ，６２Ｂ  両側部（支持リブ間以外）
３６，４４，５４，６４，７４  支持リブ
３７Ａ，４５Ａ，６５Ａ  補強リブ
３７Ｂ，６５Ｂ，７２Ｂ  最低部
Ｆ１  一面
Ｆ２  他面
ｔ１，ｔ２  厚さ
Ｂｔ  大径の瓶
Ｂｍ  中径の瓶
Ｂｓ  小径の瓶
Ｃ  缶
【図１】
0003143135.tif 000003
【図２】
0003143135.tif 000004
【図３】
0003143135.tif 000005
【図４】
0003143135.tif 000006
【図５】
0003143135.tif 000007
【図６】
0003143135.tif 000008
【図７】
0003143135.tif 000009
【図８】
0003143135.tif 000010
【図９】
0003143135.tif 000011
【図１０】
0003143135.tif 000012
【図１１】
0003143135.tif 000013
【図１２】
0003143135.tif 000014
【図１３】
0003143135.tif 000015
【図１４】
0003143135.tif 000016
【図１５】
0003143135.tif 000017
【図１６】
0003143135.tif 000018
【図１７】
0003143135.tif 000019